(57)【要約】【課題】外壁間の垂直方向の目地の内方に水が浸入しないように、施工が簡単で、しかも、製造コストの低い乾式防水部材を提供する。【解決手段】建物の外壁間の垂直目地に介挿される乾式防水部材であって、前記乾式防水部材は、前記垂直目地の幅方向に伸縮自在に構成される樋状片と、前記樋状片の下側端部に連接され、前記外壁面側に延設されるようにして設けられた排水片とを有することを特徴とする。【選択図】  図１
2005226371.tif 000002
【特許請求の範囲】
【請求項１】
建物の外壁間の垂直目地に介挿される乾式防水部材であって、前記乾式防水部材は、前記垂直目地の幅方向に伸縮自在に構成される樋状片と、前記樋状片の下側端部に連接され、前記外壁面側に延設されるようにして設けられた排水片とを有することを特徴とする乾式防水部材。
【請求項２】
前記乾式防水部材は、１枚のシートから構成されるものとし、前記シートの上部側を断面形状がＷ字状となるように折りたたむことにより前記樋状片を形成し、前記シートの下部側を前方に折り曲げることにより、前記排水片を形成するようにしたことを特徴とする請求項１に記載の乾式防水部材。
【請求項３】
前記排水片の前端部を下方に折り曲げることにより、水平方向の目地防水片を形成するようにしたことを特徴とする請求項２に記載の乾式防水部材。
【請求項４】
前記排水片を前方に折り曲げる際に、前記排水片を断面形状がＶ字状とするために、前記シートに、前記樋状片のＷ字を構成する両谷線上の対向する２点から両谷線間の山線方向にＶ字状に折り筋を形成し、前記Ｖ字状の折り筋の各上端部から前記シート両側まで切れ込み部を形成したことを特徴とする請求項２又は３に記載の乾式防水部材。
【請求項５】
前記Ｖ字状の断面形状を有する排水片の前端部を下方に折り曲げるために、前記シートに、前記Ｖ字の谷線の前端部から、上部両側に開拡するＶ字状の折り筋を形成し、前記Ｖ字状折り筋の各上端部から、前記シート両側まで切れ込み部を形成し、前記折り筋に沿って前記排水片の前端部を下方に折り曲げることにより、左右翼状の水平方向の目地防水片を形成したことを特徴とする請求項４に記載の乾式防水部材。
【請求項６】
前記目地を構成する壁面に対する前記樋状片の当接部は、前記樋状片の介挿方向に対して後側となる縁部を、当接される面側に所定幅で折り返すことにより、折り返し部が形成されたものであることを特徴とする請求項２乃至５のいずれかに記載の乾式防水部材。
【請求項７】
前記当接部の当接面側には、粘着部が形成されたことを特徴とする請求項６に記載の乾式防水部材。
【請求項８】
前記当接部の当接面側には、前記折り返し部を除いて粘着部が形成されたことを特徴とする請求項６に記載の乾式防水部材。
【請求項９】
前記シートは、キャスティングポリプロピレンから形成されたものであることを特徴とする請求項３乃至８のいずれかに記載の乾式防水部材。
【発明の詳細な説明】
【技術分野】
【０００１】
本発明は、建築物の乾式防水部材に関し、少なくとも外壁間の垂直方向の目地を防水するための乾式防水部材に関するものである。
【背景技術】
【０００２】
従来、隣接して設けられる外壁間の垂直方向の目地防水は、ガスケットやコーキング材を使用して行っていた。
しかしながら、前記垂直方向の目地防水材を通過してしまった水は、上下階間の横目地防水に対しては、既に、１次防水を通過したことになり、図１０に示すように、１次防水材ａと２次防水材ｂとの間に溜まり、結果として、他の部位から漏水する原因となる。
また、垂直方向の目地防水に対して、バルコニーの手摺り等の突設部を設ける場合には、接合部に大量にコーキング材を注入しても、バルコニーは、建築後に挙動が大きいためにコーキング部分に亀裂等が生じ、結果として接合部から漏水することになる。
【発明の開示】
【発明が解決しようとする課題】
【０００３】
そこで、本発明は、上記従来技術の問題点を解決するためのもので、少なくとも、外壁間の垂直方向の目地の内方に水が浸入しないように、施工が簡単で、しかも、製造コストの低い乾式防水部材を提供することを目的とする。
【課題を解決するための手段】
【０００４】
上記課題を解決するために、本発明者等は鋭意検討の結果、垂直目地の幅方向に伸縮自在に構成される樋状片と、この樋状片の下側端部に連接され、外壁面側に延設されるようにして設けられた排水片とを備えた乾式防水部材とすることにより、樋状片を通って流下した水を排水片を介して外壁面側に排出することができるという知見に基づき、下記の通り解決手段を見出した。
即ち、本発明の乾式防水部材は、請求項１に記載の通り、建物の外壁間の垂直目地に介挿される乾式防水部材であって、前記乾式防水部材は、前記垂直目地の幅方向に伸縮自在に構成される樋状片と、前記樋状片の下側端部に連接され、前記外壁面側に延設されるようにして設けられた排水片とを有することを特徴とする。
また、請求項２に記載の本発明は、請求項１に記載の乾式防水部材において、前記乾式防水部材は、１枚のシートから構成されるものとし、前記シートの上部側を断面形状がＷ字状となるように折りたたむことにより前記樋状片を形成し、前記シートの下部側を前方に折り曲げることにより、前記排水片を形成するようにしたことを特徴とする。
また、請求項３に記載の本発明は、請求項２に記載の乾式防水部材において、前記排水片の前端部を下方に折り曲げることにより、水平方向の目地防水片を形成するようにしたことを特徴とする。
また、請求項４に記載の本発明は、請求項２又は３に記載の乾式防水部材において、前記排水片を前方に折り曲げる際に、前記排水片を断面形状がＶ字状とするために、前記シートに、前記樋状片のＷ字を構成する両谷線上の対向する２点から両谷線間の山線方向にＶ字状に折り筋を形成し、前記Ｖ字状の折り筋の各上端部から前記シート両側まで切れ込み部を形成したことを特徴とする。
また、請求項５に記載の本発明は、請求項４に記載の乾式防水部材において、前記Ｖ字状の断面形状を有する排水片の前端部を下方に折り曲げるために、前記シートに、前記Ｖ字の谷線の前端部から、上部両側に開拡するＶ字状の折り筋を形成し、前記Ｖ字状折り筋の各上端部から、前記シート両側まで切れ込み部を形成し、前記折り筋に沿って前記排水片の前端部を下方に折り曲げることにより、左右翼状の水平方向の目地防水片を形成したことを特徴とする。
また、請求項６に記載の本発明は、請求項２乃至５のいずれかに記載の乾式防水部材において、前記目地を構成する壁面に対する前記樋状片の当接部は、前記樋状片の介挿方向に対して後側となる縁部を、当接される面側に所定幅で折り返すことにより、折り返し部が形成されたものであることを特徴とする。
また、請求項７に記載の本発明は、請求項６に記載の乾式防水部材において、前記当接部の当接面側には、粘着部が形成されたことを特徴とする。
また、請求項８に記載の本発明は、請求項６に記載の乾式防水部材において、前記当接部の当接面側には、前記折り返し部を除いて粘着部が形成されたことを特徴とする。
また、請求項９に記載の本発明は、請求項３乃至８のいずれかに記載の乾式防水部材において、前記シートは、キャスティングポリプロピレンから形成されたものであることを特徴とする。
【発明の効果】
【０００５】
本発明の乾式防水部材によれば、樋状片を流下する水を、排水片を介して外壁面側に排出することができ、特に、外壁面にベランダの手摺り等の外壁面に突設物を設ける場合には、前記手摺りの笠木上面へ排水して、下階等の意図しない部位への漏水を防止することができる。また、垂直目地に伸縮自在の樋状片を挿入するだけの簡易な乾式防水施工が可能となる。また、一枚のシートを折りたたんで形成することができるので非常に簡易に製造することができる。また、排水片の前端部を下方に折り曲げることにより水平方向の目地防水片を構成するようにしたので、垂直目地の下部に水平方向の目地が交差する場合に、排水片の下面に水が回り込んで水平方向の目地内に水が浸入することを防ぐことができる。
更に、樋状片に所定の折り筋と切り込み部を形成する場合には、樋状片と排水片の角度を任意に調整することができるようになり、排水方向を所望の角度とすることができる。
また、更に、上記した乾式防水部材の当接部に、乾式防水部材の介挿方向に対して後側となる縁部を、所定幅で当接される面側に折り返すことにより、折り返し部を形成した場合には、垂直方向の目地に乾式防水部材を介装した後に、転圧部材を樋状片内部に介装する際に、折り返し部がガイドとなる。従って、転圧部材の介装作業をスムーズに行うことができる。
また、当接部の当接面側には、粘着部を形成した場合には、外壁への貼着作業が容易となる。更に、粘着部を折り返し部を除いて形成した場合には、折り返し部が粘着部により外壁の当接面側に貼着されないので、外壁側への折り曲げた状態を確実に維持することができるので、転圧部材の介挿を容易にすることができる。
また、上記乾式防水部材を構成するシートを、キャスティングポリプロピレンとした場合、カッター等により折り曲げ線を形成して、その後、この折り曲げ線に沿って折り曲げる等しても破断することがないので所望形状への組立性に優れる。しかも、保形成に優れるために作業性も優れたものとなる。また、防水材として耐久性及び耐候性の優れたものとすることができる。
【発明を実施するための最良の形態】
【０００６】
次に、本発明の乾式防水部材について図面を参照して説明する。
【０００７】
（第１の実施の形態）
図１は、本発明の一実施の形態である乾式防水部材１の斜視図を示すものである。図示されるものは、一枚のキャスティングポリプロピレンシートを折りたたんで形成されたものであり、垂直方向に延びた樋状片２と、樋状片２の下端部側から前方に延設した排水片３と、排水片３の前端部から下方に延設した水平方向の目地防水片４とから構成されるものとした。
前記樋状片２は、断面形状がＷ字状となるように折りたたまれており、外壁パネル等の垂直目地の幅方向に伸縮自在となるように構成されている。また、本実施の形態では、樋状片２の幅に対して排水片３の幅が広いので、これらを連接するために、樋状片２の下端部が、排水片３とともに袋部２０を形成するようにして折り曲げるようにしている。この袋部２０は、可撓性のシートを折り曲げることにより弾性が付与されるように形成され、上下方向に伸縮自在となっている。
【０００８】
上記構成の乾式防水部材１は、施工に際して、図２（ａ）で示されるように、樋状片２を垂直目地Ｖに介挿し、排水片３が袋部２０とともに水平目地Ｈに介挿する。そして、乾式防水部材１と壁面Ｐとを、当接箇所において、粘着テープや接着剤により貼着する。その後、同図（ｂ）に示されるように、弾性を有する断面円形状の転圧部材５を樋状片２の内部に介装して施工を終了する。
【０００９】
上記構成により、樋状片２の内部を流下した水は、排水片３を介して壁面Ｐよりも前方に排出されることになる。このとき、水平方向の目地防水片４は、排水片３の下面側を伝わって壁面Ｐの水平目地Ｈ内に水が浸入しないようにしている。尚、本実施の形態では、袋部２０も上下方向に伸縮自在に構成されているので、外壁Ｐの水平目地Ｈに介挿された後、水平目地Ｈと袋部２０との間への水の浸入を防ぐように機能する。更に、袋部２０は、樋状片２からの水を、水平目地Ｈの奥行き方向に浸入させないように機能する。
上記乾式防水部材１は、例えば、図３で示されるベランダの手摺り等の突設部Ａが設けられる外壁間Ｐ，Ｐの垂直目地Ｖに適用することができ、この場合には、垂直目地Ｖを流下する水は、笠木Ａ’の上面に排出され、水平目地Ｈの中に浸入することがない。
【００１０】
次に、上記実施の形態の乾式防水部材１を、１枚のキャスティングポリプロピレンシートから形成する方法について図４を参照して説明する。
図４は、乾式防水部材１の展開図を示すもので、長方形状に裁断された１枚のキャスティングポリプロピレンシート１'には、樋状片２として断面形状がＷ字状に折りたたむことができるように折れ筋Ｗ１，Ｗ２，Ｗ３が設けられている。そして、樋状片２の下端部の両側と排水片３とで袋部２０を形成することができるように、折れ筋Ｗ１，Ｗ３の下端から左右両側縁まで水平方向に折れ筋Ｓ１，Ｓ２が設けられ、また、折れ筋Ｗ１，Ｗ２の下端から、シート１’の左下方縁まで略平行の折れ筋Ｖ１，Ｖ２が設けられるとともに、折れ筋Ｗ２，Ｗ３の下端から右下方縁まで略平行の折れ筋Ｖ３，Ｖ４が設けられている。また、シート１’の下端部を前方に折り曲げて排水片３を形成するために、折れ筋Ｖ２，Ｖ３間に水平方向に折れ筋Ｌが設けられている。更に、シート１’の下端部を折り曲げて水平方向の目地防水片４を形成するために折れ筋Ｇがシート１’の水平方向に亘って設けられている。尚、本実施の形態では、折れ筋Ｖ１〜Ｖ４のシート１’の水平方向に対する角度（ａ）を４５°としている。
このシート１’を折れ筋Ｗ１〜Ｗ３でＷ字状に折りたたむことにより樋状片２を形成し、折れ筋Ｓ１，Ｓ２、Ｖ１〜Ｖ４及びＬに沿って折りたたむことにより、袋部２０を備えた排水片３を形成し、折れ筋Ｇで水平方向の目地防水片４を下側に折り返すことにより乾式防水部材１を得ることができる。
【００１１】
上記実施の形態では、樋状片２を断面形状をＷ字状として構成しているが、樋状片２の断面形状としては、垂直目地の幅方向に伸縮自在の構造を有しており、上下方向に水を流下させることができる形状であれば特に制限されるものではない。従って、断面形状をＵ字状、Ｖ字状、或いは、ジグザグ状等の他の断面形状を採用することもできる。
【００１２】
（第２の実施の形態）
次に、本発明の他の実施の形態について説明する。
図５は、本発明の他の実施の形態である乾式防水部材１０の斜視図を示すものである。図示されるものは、一枚のキャスティングポリプロピレンシートを折りたたんで形成されたものであり、樋状片１２と、樋状片１２の下端部から外壁面側に延設した排水片１３と、排水片１３の前端部から下方に延設した水平方向の目地防水片１４とから構成される。
前記樋状片１２は、断面形状がＷ字状となるように折りたたまれており、外壁パネル等の垂直目地の幅方向に伸縮自在となるように構成されている。本実施の形態では、上記第１の実施の形態に比べて、樋状片１２の両側に切り込み部を設けて、排水片１３の傾斜角度を調整自在としている。また、排水片１３の両側にも、切り込み部を設けて、その両側部を下方に折り曲げることにより、防水片１４の左右翼状部１４ａ，１４ａが形成され、外壁間の水平目地を防水することができるようになっている。また、樋状片１２の幅方向の両側面には、樋状片１２の介挿方向に対して後側となる縁部を、当接される面側に所定幅で折り返した折り返し部１２ａ，１２ａが形成されており、乾式防水部材１０を垂直目地に介挿後、樋状片１２に転圧部材を設ける作業を容易にしている。
更に、本実施の形態では、図６に示すように、樋状片１２が目地を構成する壁面に当接する部分であって、前記折り返し部１２ａを除いて、離型紙付きの粘着テープ１６が設けられている。
【００１３】
上記構成の乾式防水部材１０は、施工に際して、図７で示されるように、樋状片１２を垂直目地Ｖに介挿するとともに、排水片１３を水平目地に介挿する。この時、水平方向の目地防水片１４は、水平目地Ｈの前面側を覆うことになる。その後、粘着テープ１６の離型紙を剥がして壁面Ｐ，Ｐに貼着する。そして、図示しないが樋状片１２内に弾性を有する断面円形状の転圧部材を設けて施工を完了する。
【００１４】
上記構成により、樋状片１２を流下した水は、排水片１３により外壁パネル等よりも前方に排出することができることになる。また、水平方向の目地防水片１４により、排水片１３の下面側を介して水平目地Ｈ内への水の浸入を防ぐことができる。
また、乾式防水部材１０を、図８で示されるベランダの手摺り等の突設部Ａが設けられる外壁Ｐ，Ｐ間の垂直目地Ｖに適用すれば、笠木Ａの上面に水を排出することができる。
【００１５】
次に、上記実施の形態の乾式防水部材１０を、１枚のキャスティングポリプロピレンシートから形成する方法について図９を参照して説明する。
図９は、乾式防水部材１０の展開図を示すもので、長方形状に裁断された１枚のキャスティングポリプロピレンシート１０'には、樋状片１２として断面形状がＷ字状に折りたたむことができるように折れ筋Ｗ１，Ｗ２，Ｗ３を設けるようにしている。折れ筋Ｗ２については、シート１０’の再下端までに亘って設けるようにすることで、樋状片１２に連接する排水片１３の断面形状をＶ字状に折り曲げることができるようになっている。
また、本実施の形態では、樋状片１２のＷ字の折り山と、排水片１３の折り谷とを山谷を逆転させて連接するために、樋状片１２を構成するＷ字状の山線Ｗ２上の点Ｐ１からＷ字状の２本の谷線Ｗ１，Ｗ３上の点Ｑ１，Ｑ２まで、シート１０’の上部側に開拡するＶ字状の折れ筋Ｖ１，Ｖ２を設けるようにしている。尚、折れ筋Ｖ１，Ｖ２の折れ筋Ｗ１に対する角度（ｂ）は、それぞれ４５°としている。
そして、本実施の形態では、排水片１３の傾斜角度を任意にすることができるように、折れ筋Ｖ１，Ｖ２を各谷線Ｗ１，Ｗ３に対して、それぞれ線対称に折り返した位置に傾斜切れ込み部Ｋ１，Ｋ２を設け、傾斜切れ込み部Ｋ１，Ｋ２の先端部からシート１０’の両側縁まで水平方向に水平切れ込み部Ｓ１，Ｓ２を設けるようにしている。また、排水片１４に対して水平方向の目地防水片１５を下方に折り曲げるために、シート１０’の下端部の谷線Ｗ２上の点から上部側に開拡する折れ筋Ｖ３，Ｖ４を設け、折れ筋Ｖ３，Ｖ４の上側端部からシート１０’の両側縁まで、水平方向に切り込み部Ｙ１，Ｙ２を設けるようにしている。尚、折れ筋Ｖ３，Ｖ４の谷線Ｗ２に対する角度（ｃ）は、それぞれ４５°としている。また、シート１０’の両側部には上下方向の折れ筋Ｊ１，Ｊ２を設けるようにして折り返し部１２ａ，１２ａを形成することができるようになっている。
このシート１０’を折れ筋Ｗ１〜Ｗ３で折りたたむことにより断面形状をＷ字の樋状片１２を形成する。そして、折れ筋Ｖ１，Ｖ２で、シート１０’の下端部を前方に折り曲げることにより、断面形状がＶ字状の排水片１４を形成し、排水片１４の前端部を折れ筋Ｖ３，Ｖ４で下方に折り曲げることにより、左右翼状部１４ａ，１４ａを備える水平方向の目地防水片１４を形成し、乾式防水部材１０を得ることができる。
尚、上記切れ込み部Ｋ１，Ｋ２は、それぞれ谷線Ｗ１，Ｗ３に対して線対称となる位置に設けるようにしている。即ち、谷線Ｗ１，Ｗ３に対して４５°の角度で傾斜しているが、この角度に制限されるものではない。また、切れ込み部Ｋ１，Ｋ２の長さについても同様に制限されるものではない。これらの角度及び長さについては、排水片１３の樋状片１２に対する角度が任意に調整できるものであれば任意に設定することができる。
【００１６】
上記第１及び第２の実施の形態で、使用された転圧部材は、乾式防水部材１，１０を壁面Ｐに貼着する際に使用する粘着剤の経時劣化を補うためのものであり、必要に応じて設けるようにすればよい。また、転圧部材は、弾性を有しているものであればよく、例えば、ガスケット等を使用することができる。更に、転圧部材を、樋状片２，１２に装着した後に壁面Ｐの表面側に、外壁Ｐの色彩や模様等に合わせた化粧板を設けるようにしてもよい。
また、上記実施の形態では、一枚のシート１’，１０’を折りたたむことにより乾式防水材１を形成するようにしたが、例えば、樹脂材料等を用いて一体成型することもできる。
また、上記した乾式防水部材１，１０は、いずれのキャスティングポリプロピレンから形成したが、材料について必ずしも限定するものではない。
【図面の簡単な説明】
【００１７】
【図１】本発明の一実施の形態の乾式防水部材の斜視図
【図２】（ａ）同施工状態を示す斜視図（ｂ）同施工状態における転圧部材の説明図
【図３】同乾式防水部材のベランダ周辺の外壁への適用状態を示す説明図
【図４】同乾式防水部材の展開図
【図５】本発明の他の実施の形態の乾式防水部材の斜視図
【図６】同乾式防水部材に貼着材を設けた斜視図
【図７】同施工状態を示す斜視図
【図８】同同乾式防水部材のベランダ周辺の外壁への適用状態を示す説明図
【図９】同乾式防水部材の展開図
【図１０】従来の防水方法を説明するための説明図
【符号の説明】
【００１８】
１；１０    乾式防水部材
１’；１０’  シート
２；１２    樋状片
３；１３    排水片
４；１４    防水片
５          転圧部材
１６        粘着テープ
【図１】
2005226371.tif 000003
【図２】
2005226371.tif 000004
【図３】
2005226371.tif 000005
【図４】
2005226371.tif 000006
【図５】
2005226371.tif 000007
【図６】
2005226371.tif 000008
【図７】
2005226371.tif 000009
【図８】
2005226371.tif 000010
【図９】
2005226371.tif 000011
【図１０】
2005226371.tif 000012